(57)【要約】【課題】  岩盤浴の上層を微細孔のある透水性コンクリート層として熱伝導効率を高め、また、透水性コンクリート層に水を吸収させることにより、その蒸気によるミストサウナ効果を実現し、さらに、表面の岩盤にホルンフェルスを使用してその石からの放射エネルギーを利用する岩盤温熱浴施設を提供する。【解決手段】  透水性コンクリート３層の下に温水管１を配置し、その透水性コンクリート３層は、セメントに真砂土及び土質改良剤、ホルンフェルスの粉末を混合し、それらを固化させて形成し、さらに、透水性コンクリート３層の上面にホルンフェルスからなる岩盤４を配置し、また、透水性コンクリート３層の表面にセラミック片５または玉石６を配置した。【選択図】        図１
0003105772.tif 000002
【実用新案登録請求の範囲】
【請求項１】
外部から壁によって仕切られた空間と、その空間内の床面に埋設された温熱部とを備えた岩盤温熱浴施設であって、
床面に温泉水または活性水素水を散布し、その散布した水を温熱部の熱によって蒸気とし、その蒸気を空間内に拡散させてミストサウナ効果を得る構成とした岩盤温熱浴施設。
【請求項２】
外部から壁によって仕切られた空間と、その空間内の床に配置された透水性コンクリート層と、その透水性コンクリートの下に配置された温熱部とを備えた岩盤温熱浴施設であって、
前記透水性コンクリート層に温泉水または活性水素水を含浸させ、その含浸させた水を温熱部の熱によって蒸気とし、その蒸気を空間内に拡散させてミストサウナ効果を得る構成とした岩盤温熱浴施設。
【請求項３】
前記透水性コンクリート層は、セメントに真砂土及び土質改良剤を混合し、それらを固化させて形成したことを特徴とする請求項２記載の岩盤温熱浴施設。
【請求項４】
前記セメント・真砂土・土質改良剤に加えてホルンフェルスの粉末を混合し、それらを固化させて透水性コンクリート層を形成し、さらに、透水性コンクリート層の上面にホルンフェルスからなる岩盤を配置したことを特徴とする請求項３記載の岩盤温熱浴施設。
【請求項５】
前記透水性コンクリート層の表面にセラミック片または玉石を埋め込み、そして、入浴者が仰向けに横たわった場合に、少なくとも肩、腰、足に位置する部位に岩盤を配置したことを特徴とする請求項２、３又は４記載の岩盤温熱浴施設。
【考案の詳細な説明】
【技術分野】
【０００１】
本考案はホルンフェルスを利用した岩盤温熱浴施設に関する。
【背景技術】
【０００２】
一般に、入浴施設は、湯の入った浴槽、熱風によるサウナ等を備えているが、その他、温めた岩盤の上に横になり温熱効果を得るいわゆる岩盤浴による入浴施設が存在する。
この、岩盤浴による入浴施設は、４０度〜４２度に温めた岩盤の上にタオルケット等を敷き、そこに浴着のまま横になって、温熱効果を得るものである。
この岩盤浴は岩盤の上に横に寝るだけで遠赤外線により身体を芯から温め、血液の新陳代謝を高める効果を有している。
このような岩盤温熱浴施設に関する技術として、特開２００４−１３００４７号公報記載の技術が知られている。
【特許文献１】特開２００４−１３００４７号公報
【考案の開示】
【考案が解決しようとする課題】
【０００３】
しかしながら、前記従来の岩盤浴は、熱源である温水管を、コンクリート層の下に配設しているため、温水管からの熱がコンクリート層を伝わり難く、効率的に熱利用がなされないという問題があった。
また、熱源との間にコンクリート層が介在するために、岩盤の表面が温まるまでに時間がかかり、岩盤表面の温度調整も困難である。
本考案はかかる従来の問題点を解決するためになされたものであって、その目的とするところは、岩盤浴の上層を微細孔のある透水性コンクリート層として熱伝導効率を高め、また、透水性コンクリート層に水を吸収させることにより、その蒸気によるミストサウナ効果を実現し、さらに、表面の岩盤にホルンフェルスを使用してその石からの放射エネルギーを利用する岩盤温熱浴施設を提供することにある。
【課題を解決するための手段】
【０００４】
前記目的を達成するための手段として、本考案請求項１記載の岩盤温熱浴施設では、外部から壁によって仕切られた空間と、その空間内の床面に埋設された温熱部とを備えた岩盤温熱浴施設であって、床面に温泉水または活性水素水を散布し、その散布した水を温熱部の熱によって蒸気とし、その蒸気を空間内に拡散させてミストサウナ効果を得る構成とした。
【０００５】
請求項２記載の岩盤温熱浴施設では、外部から壁によって仕切られた空間と、その空間内の床に配置された透水性コンクリート層と、その透水性コンクリートの下に配置された温熱部とを備えた岩盤温熱浴施設であって、前記透水性コンクリート層に温泉水または活性水素水を含浸させ、その含浸させた水を温熱部の熱によって蒸気とし、その蒸気を空間内に拡散させてミストサウナ効果を得る構成とした。
【０００６】
請求項３記載の岩盤温熱浴施設では、請求項２記載の岩盤温熱浴施設において、前記透水性コンクリート層は、セメントに真砂土及び土質改良剤を混合し、それらを固化させて形成している。
【０００７】
請求項４記載の岩盤温熱浴施設では、請求項３記載の岩盤温熱浴施設において、前記セメント・真砂土・土質改良剤に加えてホルンフェルスの粉末を混合し、それらを固化させて透水性コンクリート層を形成し、さらに、透水性コンクリート層の上面にホルンフェルスからなる岩盤を配置している。
【０００８】
請求項５記載の岩盤温熱浴施設では、請求項４記載の岩盤温熱浴施設において、前記透水性コンクリート層の表面にセラミック片または玉石を埋め込み、そして、入浴者が仰向けに横たわった場合に、少なくとも肩、腰、足に位置する部位に岩盤を配置している。
【考案の効果】
【０００９】
本考案の岩盤温熱浴施設においては、透水性コンクリート層の内部に温熱部を埋設したので、透水性コンクリートの微細孔を通して上層に効率的に熱が伝導される。
また、透水性コンクリートの微細孔に水を浸透させることにより、水を介してさらに熱伝導率が向上すると共に、吸収された水が蒸気として発散されて、ミストサウナ効果が得られる。
そして、真砂土を主材料として土質改良剤を使用して透水性コンクリートを形成するので、確実に微細孔が形成される。
さらに、透水性コンクリート層にホルンフェルスの粉末を混合し、表層にホルンフェルスの岩盤を使用するので、ホルンフェルスから放射されるエネルギーにより、ヒーリング効果が得られる。
また、透水性コンクリート層の表面にセラミック片または玉石を埋め込むので、ホルンフェルスに加えて、これら石片からの遠赤外線、マイナスイオン等によるヒーリング効果が得られる。
また、少なくとも背中、腰、足首に位置する部位に岩盤を配置しているので、入浴者は横になりやすく、また、身体の要部には確実にホルンフェルスからのエネルギーが照射される。
【００１０】
身体を温める岩盤浴、岩盤温熱浴の施設（室温４０〜４２℃、床温度４８〜５１℃）において、療養泉（温泉、鉱泉、活性水素水）を蒸気として浴びること、及び、呼吸器系でその蒸気を吸引することにより、温熱療法効果が得られる。また、それにより、免疫力が向上し、ガン等の悪性腫瘍を抑制する。
室内に蒸気として拡散させる水は療養泉（３０キュリー以上のもの）を使用するのが好ましい。
身体を温めることにより、免疫力が向上すると言われ、それによりがん細胞を自己治癒力により排除する働きが高まる。
岩盤の遠赤外線、寝ころぶことで受ける伝導熱、そして浴室内を対流する療養泉の蒸気を浴びることによって、無理のない、身体に優しい治療ができる。そして、理想的な"ポスト代替医療施設"が実現される。
また、活性水素水は酸化還元電位が低いので、この活性水素水を蒸発させることにより、水の蒸気が老化や生活習慣病を引き起こす原因になる活性酸素を除去して病気を予防する。
尚、ゲルマニウム半導体をベットに埋め込んだり、水に生成した場合、酸化電位を還元することができ、同様の効果を得ることができる。
岩盤上に、ベットを敷設する場合には、ベットに鉱物（ラドン等の弱放射性物質）を入れることによって、同様の効果を得ることができる。
また、ラドン鉱泉、ゲルマニウム鉱泉を使用する場合であっても、同様の効果を得ることができる。
【考案を実施するための最良の形態】
【００１１】
以下、図面に基づいて本考案の岩盤温熱浴施設を実現する最良の形態を説明する。
【実施例１】
【００１２】
本考案の岩盤温熱浴施設は図１〜図３に示すように、床下に配置された温水管１（温熱部）と、温水管１を埋設する蓄熱コンクリート層２と、その蓄熱コンクリート層２の上層に配置された透水性コンクリート３と、その透水性コンクリート３の表面に配置された岩盤４と、その岩盤４の間に散りばめられたセラミックス片５及び玉石６を主要な構成としている。
前記蓄熱コンクリート層２は温水管１からの熱を受けて層全体が熱源となり、上層の透水性コンクリート３に熱を伝導する。また、蓄熱コンクリート層２は防水加工がなされ、透水性コンクリート３から浸透した水は、蓄熱コンクリート層２の上面によって防水される。
また、岩盤温熱浴施設は、図３に示すように、それぞれ一人が横になることができるスペースに仕切られ、それらのスペースが横に連続している。入浴者はそれぞれのスペースに横になり、岩盤からの温熱を身体に受ける。これら透水性コンクリート及び温熱部の空間は、壁によって外部空間と仕切られて、サウナのような密閉された空間となっている。
【００１３】
前記岩盤４は３００ｍｍ〜５００ｍｍ四方の厚さ数ｃｍのホルンフェルスの単板からなり、それぞれの入浴スペースに縦に間隔を置いて３枚の岩盤が配置されている。そして、入浴者が仰向けに横たわった場合に、肩、腰、足の部位に岩盤が位置するようになっている。
また、入浴スペースの両側及び岩盤４と岩盤４との間には、セラミック片５、玉石６が埋め込まれている。これらの、セラミック片５、玉石６は表面に埋め込む場合の他、透水性コンクリート３層の全体に均一に混合する構成としても良い。
蓄熱コンクリート層２からの熱により、遠赤外線、マイナスイオンが複合して発生し、温熱治療効果が得られる。
温水管１の熱は蓄熱コンクリート層２に蓄えられ、透水性コンクリート３の微細孔を伝導して表面に達する。従来ではこのコンクリート層が緻密構造であるため、熱伝導が効率良く行なわれなかったが、本願では、微細孔が形成されているために、熱伝導効率が向上している。
蓄熱コンクリート層２、透水性コンクリート３層の厚さは任意であるが、一例として蓄熱コンクリート層４ｃｍ、透水性コンクリート層６ｃｍとする。
温水管１の径、配置間隔は任意であるが、蓄熱コンクリート層に所定間隔で配設されて、入浴者の身体全体を均一に加温できる構成とする。
本考案の岩盤温熱浴施設の使用に際しては、透水性コンクリート３に水を含浸させることにより、熱によりそれらが蒸発してミストサウナ効果が得られる。
特に、ラジウム温泉水を含浸させることにより、空間全体にこれらの蒸気が広がり、身体全体にラジウム蒸気を浴びるミストサウナ効果が得られる。
【００１４】
ここで、ホルンフェルスとは火山活動により形成された接触変成岩（熱変成岩）である。本考案で使用するホルンフェルスは、宮崎県と大分県の県境の深山霊峰で発見された天然鉱石で、およそ二万年以上前に生成されたといわれ、高千穂地方で主に産出されるものである。この地方で産するホルンフェルスは、とても不思議なエネルギーがあり、高千穂に登山すると肩こりが治ったとか、体が軽くなったなどという話が、昔から言い伝られていたところ、人体に有益な素晴らしい力を持つ石であることが様々な研究によって判明している。
前記ホルンフェルスは超電磁波［テラヘルツ波〕と呼ばれるパワーを持つ石で、活水・鮮度保持・熟成・脱臭、細胞復活の作用により効果的なエネルギーを放出し、活性化脂質を抑制する働きをする。そして、美肌効果はもとよりアトピー性皮膚炎・糖尿病をはじめとする生活習慣病・冷え性・肩こり・腰痛・関節炎など効果は多岐にわたっている。
【００１５】
本考案のホルンフェルスには以下のような、効果が知られている。
（１）４．０ミクロン〜１４．０ミクロンの遠赤外線が放射されており、人体の細胞を活性化し、新陳代謝を促進する働きを持っている。
（２）この遠赤外線には、過酸化脂質の形成を抑制する効果があり、それは、血流の促進や動脈硬化、脳血栓、心筋梗塞の改善を促す。
（３）ヒト白血球、リンパ球の機能を亢進させ、免疫機能を向上させる。
（４）また、ホルンフェルスからは、7,500個/ccのマイナスイオンも放出しており、リフレッシュ効果とリラックス効果からストレスを解消し自律神経が安定し人間が本来持っている自然治癒力を強化する。
（５）抗菌防臭効果と消臭効果があり、衛生面でも安心である。
（６）水に触れると、還元性の水に変えるので、酸化を防止する作用のある水となる。また、水をアルカリ性に変える。よって、この水が生物に取り込まれると老廃物を変化させ、生体を活性化したり肥大化する作用がある。
【００１６】
前記透水性コンクリートは、真砂土に土質改良剤を添加して固化させたものであり、その製造方法は、図４に示すように、セメント１５Ｋｇ〜１７．５Ｋｇに対し、真砂土０．１０ｍ３（バケツ約１０杯）、土質改良剤（ＳＬ−１０００）を１．８リットル、ホルンフェルスの粉末３００〜５００ｇを加え、それらに水を適量（２５リットル程度）加えて混合し、固化させたものである。
【００１７】
前記土質改良剤として、有限会社ＳＬ化学研究所製：ＳＬ１０００を使用する。このＳＬ１０００は、アルカリ金属化合物６４％、アルカリ土類化合物２０％、窒素化合物６％、その他成分１０％（図５参照）からなる液体薬剤である。
有機物を含んだ土や粒子の小さな土（真砂土等）、油分を含んだ土は、セメントのみではなかなか固まらないという問題がある。有機物は土粒子のまわりの付着水に溶け込んで、セメント凝結反応の主反応物質であるカルシウムイオンと土粒子との直接接触を妨げ、同時に、水和凝結反応に対しても負の働きをして固化を妨げ、セメントの安定固化ができなくなるのである。
しかしながら、土質改良剤を添加することにより、土壌粒子を構成する無機成分の凝結を促進する。
【００１８】
セメントが硬化する過程では、セメントの主成分であるケイ酸三石灰（３ＣａＯ・ＳｉＯ２）ならびにアルミン酸三石灰（３ＣａＯ・Ａｌ２Ｏ３）などの不安定なカルシウムイオン塩が加えられた水相にカルシウムイオンを与え、その結果アルカリ性となった水相の中で、相互の水和反応が進行して安定したカルシウム塩の水和物となる。
一方、土の成分中には、一時鉱物として石英・長石及び雲母などがあり、二次鉱物中には、腐植土などの有機物が含まれていて、これらのものが土とセメント混合物の固化を阻害すると考えられている。すなわち、腐植土の主成分であるフミン酸は、強い酸性物質であり、セメントの主成分と反応してフミン酸カルシウムとなる。このフミン酸カルシウムが、セメントの水和反応に必要な、アルカリ性水相の形成を阻害することになり、セメントの固化に支障を来すものと考えられる。
前記ＳＬ−１０００には、これらに対応する成分が配合されているので、フミン酸カルシウムの生成が制止され、水相が十分にアルカリ性となるのでセメントの水和反応を促進する。
一方で、このＳＬ−１０００は、真砂土の成分である二酸化けい素（ＳｉＯ２）や酸化アルミニウム（Ａｌ２Ｏ３）などとも反応して水和物を形成し、真砂土を硬化させる機能も有している。
本考案のセメントに土及び土質改良剤を混合して固化させることによる特徴は、土粒子の表面と結合したセメント溶解成分が水和反応により各種の水和物を生成し、針状結晶が成長し、土粒子間を結び強度を増して行く点にある。そして、固化したコンクリートの内部には無数の連続気孔が生じ、全体的に通気性、透水性、保水性が生じる。
【実施例２】
【００１９】
次に、第２実施例に係る岩盤温熱浴施設を図６〜図８に示す。
この第２実施例に係る岩盤温熱浴施設は、入浴者が横になる床全体にホルンフェルスからなる岩盤４を乱張により敷き詰め、敷き詰めた岩盤４の両側に透水性コンクリート３層を形成した構成である。
そして、岩盤４と透水性コンクリート３の下に温水管１を配置し、その温水管１の下に鉄筋７、発泡ポリエチレン断熱材８、防水シート９を配置している。
前記温水管１は床面全体に所定間隔に挿通され、内部を通過する湯の熱が直接岩盤４または両側の透水性コンクリート３に達する構成となっている。
本実施例の岩盤温熱浴施設は、第１実施例の岩盤温熱浴施設と同様に、透水性コンクリート３に水を含浸させることにより、熱によりそれらが蒸発してミストサウナ効果が得られる。
特に、ラジウム温泉水を含浸させることにより、空間全体にこれらの蒸気が広がり、身体全体にラジウム蒸気を浴びるミストサウナ効果が得られる。
【００２０】
以上、本考案の実施例を説明したが、本考案の具体的な構成は前記実施例に限定されるものではなく、考案の要旨を逸脱しない範囲の設計変更等があっても本考案に含まれる。
前記実施例で説明した透水性コンクリートとしては、真砂土を使用する場合の他、微細孔を有するコンクリートであれば、他の材料を使用することもできる。例えば、特開２００１−３０３０５６号、特開２００２−２２６２５４号、特開２００１−３０３０５３号公報記載の土質改良剤を使用して形成する場合であっても本考案に含まれる。
また、前記実施例では温水管によって加温する構成としたが、電気温熱部等、その他の温熱部を使用して加温する構成であっても本考案に含まれる。
【図面の簡単な説明】
【００２１】
【図１】岩盤温熱浴施設の平面図である。
【図２】岩盤温熱浴施設の断面図である。
【図３】岩盤温熱浴施設の斜視図である。
【図４】透水性コンクリートに使用する原料の混合割合を示す図である。
【図５】土質改良剤の成分を示す図である。
【図６】第２実施例に係る岩盤温熱浴施設の平面図である。
【図７】第２実施例に係る岩盤温熱浴施設の断面図である。
【図８】第２実施例に係る岩盤温熱浴施設の分解斜視図である。
【符号の説明】
【００２２】
１  温水管
２  蓄熱コンクリート層
３  透水性コンクリート
４  岩盤
５  セラミック片
６  玉石
７  鉄筋
８  発泡ポリエチレン断熱材
９  防水シート
【図１】
0003105772.tif 000003
【図２】
0003105772.tif 000004
【図４】
0003105772.tif 000005
【図５】
0003105772.tif 000006
【図６】
0003105772.tif 000007
【図７】
0003105772.tif 000008
【図８】
0003105772.tif 000009
【図３】
0003105772.tif 000010